(57)【特許請求の範囲】
【請求項１】
二部材同士の間をシールするパッキンであって、
一方の部材に取り付けられる基部と、
前記基部から他方の部材へ向かって延出し、前記他方の部材に圧接するシールリップ部と、を備え、
前記シールリップ部の途中には、第１屈曲部が設けられ、
前記基部と前記シールリップ部との連続部には、第２屈曲部が設けられ、
前記第１屈曲部と前記第２屈曲部とは、互いに反対方向へ屈曲しており、
前記基部は、前記シールリップ部の延出端とシール方向で一致する位置に、前記一方の部材に圧接する基部側シール部を有しており、
前記シールリップ部の延出端は、曲面形状を呈し、
前記基部側シール部は、前記シールリップ部の延出端と同等又は略同等の曲率に形成されていることを特徴とするパッキン。
【請求項２】
二部材同士の間をシールするパッキンであって、
一方の部材に取り付けられる基部と、
前記基部から他方の部材へ向かって延出し、前記他方の部材に圧接するシールリップ部と、を備え、
前記シールリップ部の途中には、第１屈曲部が設けられ、
前記基部と前記シールリップ部との連続部には、第２屈曲部が設けられ、
前記第１屈曲部と前記第２屈曲部とは、互いに反対方向へ屈曲しており、
前記シールリップ部のうち前記第１屈曲部から延出端に至る部位は、中央側が前記一方の部材側へ突出するように湾曲形成されていることを特徴とするパッキン。
【請求項３】
前記シールリップ部は、前記第１屈曲部と延出端との間に設けられ、前記他方の部材に圧接するリップ側シール部を有することを特徴とする請求項１又は請求項２に記載のパッキン。
【請求項４】
前記基部は、前記一方の部材に設けられた被係止部に係止可能な係止部を有することを特徴とする請求項１乃至請求項３のいずれか一項に記載のパッキン。
【請求項５】
前記基部は、シール方向の交差方向に沿って延設された延設部と、前記連続部から前記延設部と反対方向へ向かって延設されたストッパ部と、を有することを特徴とする請求項１乃至請求項４のいずれか一項に記載のパッキン。
【請求項６】
上下面の少なくとも一方に開口部を有するバッテリモジュールと、
前記バッテリモジュールの前記上下面の少なくとも一方に取り付けられ、前記開口部に流体を供給するダクトと、
前記バッテリモジュールと前記ダクトとの間をシールするパッキンと、
前記バッテリモジュールの前記上下面に直交する直交面に締結固定されるバッテリフレームと、を備えたバッテリモジュールのシール構造であって、
前記パッキンは、
前記バッテリモジュール及び前記ダクトのいずれか一方に取り付けられる基部と、
前記基部から前記バッテリモジュール及び前記ダクトのいずれか他方へ向かって延出し、前記他方に圧接するシールリップ部と、を備え、
前記シールリップ部の途中には、第１屈曲部が設けられ、
前記基部と前記シールリップ部との連続部には、第２屈曲部が設けられ、
前記第１屈曲部と前記第２屈曲部とは、互いに反対方向へ屈曲しており、
前記基部は、前記シールリップ部の延出端とシール方向で一致する位置に、前記バッテリモジュール及び前記ダクトのいずれか一方に圧接する基部側シール部を有しており、
前記シールリップ部の延出端は、曲面形状を呈し、
前記基部側シール部は、前記シールリップ部の延出端と同等又は略同等の曲率に形成されており、
前記バッテリモジュールと前記ダクトのシール方向と、前記バッテリモジュールと前記バッテリフレームの締結方向は、互いに直交していることを特徴とするバッテリモジュールのシール構造。
【請求項７】
上下面の少なくとも一方に開口部を有するバッテリモジュールと、
前記バッテリモジュールの前記上下面の少なくとも一方に取り付けられ、前記開口部に流体を供給するダクトと、
前記バッテリモジュールと前記ダクトとの間をシールするパッキンと、
前記バッテリモジュールの前記上下面に直交する直交面に締結固定されるバッテリフレームと、を備えたバッテリモジュールのシール構造であって、
前記パッキンは、
前記バッテリモジュール及び前記ダクトのいずれか一方に取り付けられる基部と、
前記基部から前記バッテリモジュール及び前記ダクトのいずれか他方へ向かって延出し、前記他方に圧接するシールリップ部と、を備え、
前記シールリップ部の途中には、第１屈曲部が設けられ、
前記基部と前記シールリップ部との連続部には、第２屈曲部が設けられ、
前記第１屈曲部と前記第２屈曲部とは、互いに反対方向へ屈曲しており、
前記シールリップ部のうち前記第１屈曲部から延出端に至る部位は、中央側が前記バッテリモジュール及び前記ダクトのいずれか一方側へ突出するように湾曲形成されており、
前記バッテリモジュールと前記ダクトのシール方向と、前記バッテリモジュールと前記バッテリフレームの締結方向は、互いに直交していることを特徴とするバッテリモジュールのシール構造。
【発明の詳細な説明】
【技術分野】
【０００１】
本発明は、パッキン及びパッキンを用いたバッテリモジュールのシール構造に関するものである。
【背景技術】
【０００２】
従来、二部材同士の間をシールするパッキンが種々開発されている。この種のパッキンに関し、例えば特許文献１に記載のものがある。特許文献１に記載のパッキンは、シール方向の交差方向に沿って延設された基部と、基部の一端から屈曲して一方の部材へ向かって延出する第１シールリップ部と、基部の他端から第１シールリップ部の屈曲方向と反対方向へ屈曲して他方の部材へ向かって延出する第２シールリップ部と、を備える。
【先行技術文献】
【特許文献】
【０００３】
【特許文献１】特開２００４−１１６１０１号公報
【発明の概要】
【発明が解決しようとする課題】
【０００４】
しかし、特許文献１に記載の発明では、一方の部材上にパッキンを配置し、パッキンの上から一方の部材に他方の部材を組み付けると、第１シールリップ部が基部側を中心に他方の部材へ向かって屈曲し、第２シールリップ部が基部側を中心に一方の部材へ向かって屈曲する。つまり、第１シールリップ部及び第２シールリップ部は、それぞれ一点のみで屈曲する。そのため、第１シールリップ部及び第２シールリップ部の延出端が交差方向へそれぞれ移動してしまい、延出端の位置ずれによって所望のシール性能を発揮できない虞がある。
【０００５】
本発明は、このような観点から創案されたものであり、シールリップ部の延出端の位置ずれを抑制可能なパッキン及びバッテリモジュールのシール構造を提供することを課題とする。
【課題を解決するための手段】
【０００６】
前記の課題を解決するために、本発明は、二部材同士の間をシールするパッキンであって、一方の部材に取り付けられる基部と、前記基部から他方の部材へ向かって延出し、前記他方の部材に圧接するシールリップ部と、を備え、前記シールリップ部の途中には、第１屈曲部が設けられ、前記基部と前記シールリップ部との連続部には、第２屈曲部が設けられ、前記第１屈曲部と前記第２屈曲部とは、互いに反対方向へ屈曲しており、前記基部は、前記シールリップ部の延出端とシール方向で一致する位置に、前記一方の部材に圧接する基部側シール部を有しており、前記シールリップ部の延出端は、曲面形状を呈し、前記基部側シール部は、前記シールリップ部の延出端と同等又は略同等の曲率に形成されていることを特徴とする。
【０００７】
本発明によれば、シールリップ部の途中には、第１屈曲部が設けられ、基部とシールリップ部との連続部には、第２屈曲部が設けられ、第１屈曲部と第２屈曲部とは、互いに反対方向へ屈曲しているので、二部材の組付時に、シールリップ部が二点で屈曲する。つまり、シールリップ部のうち第１屈曲部から延出端に至る部位は、第１屈曲部を中心に一方の部材へ向かって倒れるように屈曲し、第１屈曲部から連続部に至る部位は、第２屈曲部を中心に一方の部材へ向かって第１屈曲部の屈曲方向とは反対方向へ倒れるように屈曲する。これにより、第１屈曲部の屈曲作用による延出端の交差方向への移動を、第２屈曲部の屈曲作用によって抑制（相殺）できる。そのため、延出端の位置ずれを抑制して、所望のシール性能を発揮できる。
【０００９】
また、本発明によれば、基部は、シールリップ部の延出端とシール方向で一致する位置に、一方の部材に圧接する基部側シール部を有するので、基部と一方の部材との間、及び、シールリップ部と他方の部材との間をそれぞれ確実にシールできる。また、延出端と基部側シール部とに作用する面圧を均一にできる。
【００１１】
また、本発明によれば、シールリップ部の延出端は、曲面形状を呈し、基部側シール部は、シールリップ部の延出端と同等又は略同等の曲率に形成されているので、延出端と基部側シール部が平面形状を呈する場合に比べ、一方及び他方の部材との接触面積を減らすことができる。したがって、面圧の分散を抑制できるので、シール性を高めることができる。
【００１２】
また、前記の課題を解決するために、本発明は、二部材同士の間をシールするパッキンであって、一方の部材に取り付けられる基部と、前記基部から他方の部材へ向かって延出し、前記他方の部材に圧接するシールリップ部と、を備え、前記シールリップ部の途中には、第１屈曲部が設けられ、前記基部と前記シールリップ部との連続部には、第２屈曲部が設けられ、前記第１屈曲部と前記第２屈曲部とは、互いに反対方向へ屈曲しており、前記シールリップ部のうち前記第１屈曲部から延出端に至る部位は、中央側が前記一方の部材側へ突出するように湾曲形成されていることを特徴とする。
【００１３】
かかる構成によれば、シールリップ部のうち第１屈曲部から延出端に至る部位は、中央側が一方の部材側へ突出するように湾曲形成されているので、シールリップ部の延出端を他方の部材に確実に接触させることができる。
また、シールリップ部のうち第１屈曲部から延出端に至る部位が直線形状の場合に比べ、他方の部材との接触面積を減らすことができる。したがって、面圧の分散を抑制できるので、シール性を高めることができる。
【００１４】
また、前記シールリップ部は、前記第１屈曲部と延出端との間に設けられ、前記他方の部材に圧接するリップ側シール部を有する構成とするのが好ましい。
【００１５】
かかる構成によれば、シールリップ部は、第１屈曲部と延出端との間に設けられ、他方の部材に圧接するリップ側シール部を有するので、延出端とリップ側シール部との２箇所でシールでき、他方の部材との間のシール性を高めることができる。
【００１６】
また、前記基部は、前記一方の部材に設けられた被係止部に係止可能な係止部を有する構成とするのが好ましい。
【００１７】
かかる構成によれば、基部は、一方の部材に設けられた被係止部に係止可能な係止部を有するので、一方の部材に対するパッキンの脱落を防止することができると共に、パッキンの位置決めを容易に行える。
【００１８】
また、前記基部は、シール方向の交差方向に沿って延設された延設部と、前記連続部から前記延設部と反対方向へ向かって延設されたストッパ部と、を有する構成とするのが好ましい。
【００１９】
かかる構成によれば、基部は、シール方向の交差方向に沿って延設された延設部と、連続部から延設部と反対方向へ向かって延設されたストッパ部と、を有するので、基部の重心位置が安定し、一方の部材にパッキンを安定して配置することができる。
【００２０】
また、前記の課題を解決するために、本発明は、上下面の少なくとも一方に開口部を有するバッテリモジュールと、前記バッテリモジュールの前記上下面の少なくとも一方に取り付けられ、前記開口部に流体を供給するダクトと、前記バッテリモジュールと前記ダクトとの間をシールするパッキンと、前記バッテリモジュールの前記上下面に直交する直交面に締結固定されるバッテリフレームと、を備えたバッテリモジュールのシール構造であって、前記パッキンは、前記バッテリモジュール及び前記ダクトのいずれか一方に取り付けられる基部と、前記基部から前記バッテリモジュール及び前記ダクトのいずれか他方へ向かって延出し、前記他方に圧接するシールリップ部と、を備え、前記シールリップ部の途中には、第１屈曲部が設けられ、前記基部と前記シールリップ部との連続部には、第２屈曲部が設けられ、前記第１屈曲部と前記第２屈曲部とは、互いに反対方向へ屈曲しており、前記基部は、前記シールリップ部の延出端とシール方向で一致する位置に、前記バッテリモジュール及び前記ダクトのいずれか一方に圧接する基部側シール部を有しており、前記シールリップ部の延出端は、曲面形状を呈し、前記基部側シール部は、前記シールリップ部の延出端と同等又は略同等の曲率に形成されており、前記バッテリモジュールと前記ダクトのシール方向と、前記バッテリモジュールと前記バッテリフレームの締結方向は、互いに直交していることを特徴とする。
さらに、前記の課題を解決するために、本発明は、上下面の少なくとも一方に開口部を有するバッテリモジュールと、前記バッテリモジュールの前記上下面の少なくとも一方に取り付けられ、前記開口部に流体を供給するダクトと、前記バッテリモジュールと前記ダクトとの間をシールするパッキンと、前記バッテリモジュールの前記上下面に直交する直交面に締結固定されるバッテリフレームと、を備えたバッテリモジュールのシール構造であって、前記パッキンは、前記バッテリモジュール及び前記ダクトのいずれか一方に取り付けられる基部と、前記基部から前記バッテリモジュール及び前記ダクトのいずれか他方へ向かって延出し、前記他方に圧接するシールリップ部と、を備え、前記シールリップ部の途中には、第１屈曲部が設けられ、前記基部と前記シールリップ部との連続部には、第２屈曲部が設けられ、前記第１屈曲部と前記第２屈曲部とは、互いに反対方向へ屈曲しており、前記シールリップ部のうち前記第１屈曲部から延出端に至る部位は、中央側が前記バッテリモジュール及び前記ダクトのいずれか一方側へ突出するように湾曲形成されており、前記バッテリモジュールと前記ダクトのシール方向と、前記バッテリモジュールと前記バッテリフレームの締結方向は、互いに直交していることを特徴とする。
【００２１】
本発明によれば、シールリップ部の途中には、第１屈曲部が設けられ、基部とシールリップ部との連続部には、第２屈曲部が設けられ、第１屈曲部と第２屈曲部とは、互いに反対方向へ屈曲しているので、二部材の組付時に、シールリップ部が二点で屈曲する。つまり、シールリップ部のうち第１屈曲部から延出端に至る部位は、第１屈曲部を中心にバッテリモジュール及びダクトのいずれか一方へ向かって倒れるように屈曲し、第１屈曲部から連続部に至る部位は、第２屈曲部を中心にバッテリモジュール及びダクトのいずれか一方へ向かって第１屈曲部の屈曲方向とは反対方向へ倒れるように屈曲する。これにより、第１屈曲部の屈曲作用による延出端の交差方向への移動を、第２屈曲部の屈曲作用によって抑制（相殺）できる。そのため、延出端の位置ずれを抑制して、所望のシール性能を発揮できる。
特に、本発明によれば、バッテリモジュールとダクトのシール方向と、バッテリモジュールとバッテリフレームの締結方向とが互いに直交し、締結力を利用してシール性能を確保できない場合であっても、延出端の位置ずれを抑制可能なパッキンを用いることで、所望のシール性能を十分に確保できる。
【発明の効果】
【００２２】
本発明では、シールリップ部の延出端の位置ずれを抑制可能なパッキン及びバッテリモジュールのシール構造を提供することができる。
【図面の簡単な説明】
【００２３】
【図１】本発明の実施形態に係るパッキンが適用されたバッテリモジュールのシール構造の分解斜視図である。
【図２】パッキン、バッテリパック、ダクトを組み付けた状態を模式的に示す図１のＩ−Ｉ線断面相当図である。
【図３】下ダクトにパッキンを取り付けた状態を示す断面図である。
【図４】図３に示す状態から下ダクトにバッテリモジュールを組み付けた状態を示す断面図である。
【図５】パッキンの係止部と下ダクトの被係止部の係止状態を示す断面図である。
【図６】パッキンの屈曲動作を模式的に示す断面図である。
【図７】第１変形例に係るパッキンを示す断面図であり、（ａ）は、下ダクトにパッキンを取り付けた状態を示す断面図であり、（ｂ）は、（ａ）に示す状態から下ダクトにバッテリモジュールを組み付けた状態を示す断面図である。
【図８】第２変形例に係るパッキンを示す断面図である。
【図９】第３変形例に係るパッキンを示す断面図である。
【図１０】（ａ）は、第４変形例に係るパッキンが適用されたファンとダクトのシール構造の分解斜視図であり、（ｂ）は、（ａ）のＡ部の拡大図である。
【図１１】パッキン、ファン、ダクトを組み付けた状態を示す図１０（ａ）のＩＩ−ＩＩ線断面相当図である。
【発明を実施するための形態】
【００２４】
次に、本発明の実施形態について、適宜図面を参照しながら詳細に説明する。なお、各図中に矢印で示される、「前後」及び「上下」は、車両の前後方向及び上下方向を示し、「左右」は、運転席から見た左右方向（車幅方向）をそれぞれ示している。
本実施形態では、本発明のパッキンを、バッテリパック（バッテリモジュール）とダクトのシール構造に適用した場合ついて説明する。
【００２５】
パッキン１の説明に先立って、シール対象となるバッテリパック２及びダクト３の構造について説明する。バッテリパック２及びダクト３は、例えば、ハイブリッド車や電気自動車等の車両に搭載され、図示しないフロアの下方に配置される。
【００２６】
＜バッテリパック＞
図１に示すように、バッテリパック２は、左右方向に沿って配置された複数のバッテリモジュール２１と、バッテリモジュール２１の前後両面に取り付けられるバッテリフレーム２２とを備える。本実施形態のバッテリモジュール２１は、特許請求の範囲の「他方の部材」を構成している。
【００２７】
バッテリモジュール２１は、前後方向に沿って交互に配置された複数のバッテリセル２１ａ及びホルダ２１ｂと、バッテリセル２１ａ及びホルダ２１ｂを前後両側から挟持して一体化する一対のエンドプレート２１ｃとで主に構成されている。図１では、バッテリモジュール２１の左側面を閉塞するカバー部を省略して描いている。
【００２８】
図２に示すように、バッテリセル２１ａとホルダ２１ｂとの間には、上ダクト３１と下ダクト３２とを連通する隙間２１ｄが形成されている。この隙間２１ｄには、バッテリセル２１ａを冷却するための冷却風（流体）が通流する。図２の矢印に示すように、冷却風は、隙間２１ｄの上側の開口部から流入して下向きに流れた後、下側の開口部から排出される。なお、本実施形態では、冷却風がバッテリモジュール２１の上面から下面へ流れるが、バッテリモジュール２１の上下面のいずれか一方から側面へ流れる構成としてもよい。エンドプレート２１ｃは、図１に示すように、矩形状かつ板状の金属製部材である。エンドプレート２１ｃには、複数のボルト挿通穴２１ｅが形成されている。
【００２９】
バッテリフレーム２２は、バッテリモジュール２１の前後に配置された前フレーム２２ａ及び後フレーム２２ｂで構成されている。前フレーム２２ａ及び後フレーム２２ｂは、上端にフランジ部を有する略平板状の金属製部材である。前フレーム２２ａ及び後フレーム２２ｂには、複数のボルト挿通孔２２ｃが前後に貫通して形成されている。前フレーム２２ａ及び後フレーム２２ｂのボルト挿通孔２２ｃとエンドプレート２１ｃのボルト挿通穴２１ｅとにボルトＢをそれぞれ挿通することで、バッテリフレーム２２がバッテリモジュール２１に締結固定されている（図１では前後のボルトＢをそれぞれ１つだけ図示している）。本実施形態では、バッテリモジュール２１とバッテリフレーム２２の締結方向は、前後方向に一致している。
【００３０】
＜ダクト＞
ダクト３は、バッテリモジュール２１の上下に配置された上ダクト３１及び下ダクト３２を備える。本実施形態の上ダクト３１及び下ダクト３２は、特許請求の範囲の「一方の部材」を構成している。
【００３１】
上ダクト３１は、冷却風（例えば車室内の空気）を隙間２１ｄへ供給するためのダクトである。上ダクト３１は、左右方向に延びる略板状の部材であり、バッテリモジュール２１を上方から覆っている。上ダクト３１の左右両端部には、車室内から空気を取り入れるための取入口３１ａがそれぞれ形成されている（図１では左側の取入口３１ａのみを図示している）。図示省略するが、上ダクト３１の前後端部は、バッテリフレーム２２にボルトや爪部で固定される。
【００３２】
下ダクト３２は、隙間２１ｄから排出された冷却風を図示しないファンに案内するためのダクトである。下ダクト３２は、左右方向に延びる略板状の部材であり、バッテリモジュール２１を下方から覆っている。図示省略するが、下ダクト３２の前後端部は、バッテリフレーム２２にボルトや爪部で固定される。
【００３３】
下ダクト３２の上面には、平面視で略矩形状の排出溝３２ａと、排出溝３２ａの周囲を囲む平面視で四角環状の収容溝３２ｂと、が左右方向に沿って複数形成されている。収容溝３２ｂを形成する内壁３２ｃには、被係止部３２ｅが設けられている。被係止部３２ｅは、内壁３２ｃの一部を下方に所定長だけ切り欠いて形成され、他の部位よりも一段低い段部となっている。被係止部３２ｅは、内壁３２ｃの四隅及び長手方向の中央部にそれぞれ設けられている。図２に示すように、排出溝３２ａには、隙間２１ｄから排出された冷却水が流入する。収容溝３２ｂには、パッキン１の基部１１が収容されている。上ダクト３１の下面にも収容溝３１ｂが形成されている。
【００３４】
なお、本実施形態では、ダクト３に収容溝３１ｂ，３２ｂを形成したが、バッテリモジュール２１に収容溝を形成してもよい。例えば、下側のパッキン１は、下ダクト３２の収容溝３２ｂに収容され、上側のパッキン１は、バッテリモジュール２１の上面の収容溝に収容される構成にしてもよい。
【００３５】
次に、本実施形態に係るパッキン１について、図１乃至図５を参照して説明する。以下の説明では、バッテリモジュール２１とダクト３が互いに近接乃至離間する方向を「シール方向」と称する場合がある。また、環状のパッキン１で囲まれた内側を単に「内側」と称し、パッキン１で囲まれていない外側を単に「外側」と称する場合がある。
【００３６】
＜パッキン＞
パッキン１は、図１に示すように、バッテリモジュール２１と上ダクト３１との間、及び、バッテリモジュール２１と下ダクト３２との間をシールする四角環状の部材である。パッキン１は、例えば、ゴムや樹脂等で形成されている。本実施形態では、バッテリモジュール２１とダクト３のシール方向は、上下方向に一致しており、バッテリモジュール２１とバッテリフレーム２２の締結方向（前後方向）に対して直交している。
【００３７】
パッキン１は、図２に示すように、上ダクト３１又は下ダクト３２に取り付けられる基部１１と、バッテリモジュール２１に圧接するシールリップ部１２とを備える。なお、上下のパッキン１は、上下対称に配置されているため、下側のパッキン１について詳細に説明し、上側のパッキン１についての説明を省略する。
【００３８】
基部１１は、図３に示すように、下ダクト３２の収容溝３２ｂに収容される部位である。基部１１は、水平方向に沿って延設された延設部１１ａと、延設部１１ａの下端の外寄り部位から下方へ延出した基部側シール部１１ｂと、延設部１１ａの上端の外側部位から上方へ延出した立上部１１ｃと、立上部１１ｃの外側の端部の上側部位から外側へ延出したストッパ部１１ｄと、延設部１１ａの内側の端部から下方へ延出した係止部１１ｅ（図５参照）とで構成されている。
【００３９】
延設部１１ａは、シール方向の交差方向に沿って延設された部位である。
基部側シール部１１ｂは、収容溝３２ｂの底面に圧接する部位であり、曲面形状を呈している。基部側シール部１１ｂは、シールリップ部１２の延出端１２ｃと同等又は略同等の曲率に形成されている。
【００４０】
立上部１１ｃは、上下方向に沿って延設された部位である。
ストッパ部１１ｄは、基部１１とシールリップ部１２との連続部から延設部１１ａと反対方向へ向かって延設された部位である。ストッパ部１１ｄは、収容溝３２ｂを形成する外壁３２ｄの上面に当接して係止され、パッキン１の外側への倒れを防止する機能を備えている。ストッパ部１１ｄは、基部１１の重心位置を安定させる機能をも備えている。なお、ストッパ部１１ｄを省略してもよい。
【００４１】
係止部１１ｅは、図１及び図５に示すように、下ダクト３２の被係止部３２ｅに上下で対応する位置に設けられている。係止部１１ｅは、被係止部３２ｅ内に差し込まれて係止されている。
【００４２】
シールリップ部１２は、図３及び図４に示すように、立上部１１ｃの上端からバッテリモジュール２１へ向かって延出し、バッテリモジュール２１に圧接する部位である。シールリップ部１２は、図３に示すように、内側へ凸となるように断面視で略くの字状を呈している。なお、パッキン１は、図３に示す断面形状の内外を反転させた形状にされてもよい。
【００４３】
シールリップ部１２は、立上部１１ｃの上端から内側かつ上方へ屈曲して延出した第１延出部１２ａと、第１延出部１２ａの上端から外側かつ上方へ屈曲して延出した第２延出部１２ｂとで構成されている。第１延出部１２ａと第２延出部１２ｂとの連続部には、第１屈曲部１３が形成されている。立上部１１ｃと第１延出部１２ａとの連続部には、第２屈曲部１４が形成されている。つまり、シールリップ部１２は、第１屈曲部１３と第２屈曲部１４の２点で屈曲可能となっている。
【００４４】
第１延出部１２ａは、立上部１１ｃの上端から斜めに延出する断面視で直線状の部位である。第１延出部１２ａは、水平軸に対して所定の角度だけ傾斜している。
【００４５】
第２延出部１２ｂは、第１延出部１２ａの上端から斜めに延出する断面視で略円弧状の部位である。第２延出部１２ｂは、中央側が下ダクト３２側へ突出するように湾曲形成されている。第２延出部１２ｂの延出端１２ｃは、バッテリモジュール２１に圧接してシールする部位であり、曲面形状を呈している。延出端１２ｃと基部側シール部１１ｂは、シール方向で一致する位置に設けられている。第２延出部１２ｂは、水平軸に対して所定の角度だけ傾斜している。第１延出部１２ａ及び第２延出部１２ｂの延出長さ及び傾斜角度は、同等又は略同等に設定されている。
【００４６】
第１屈曲部１３は、シールリップ部１２の途中部位（中間部）を外側へ屈曲して形成された部位である。第２屈曲部１４は、シールリップ部１２と基部１１との連続部を内側へ屈曲して形成された部位である。換言すると、第１屈曲部１３と第２屈曲部１４とは、互いに反対方向へ屈曲している。
【００４７】
本実施形態に係るパッキン１は、基本的に以上のように構成されるものであり、次に、その作用効果について説明する。
【００４８】
バッテリモジュール２１と下ダクト３２を組み付ける際には、図３及び図５に示すように、下ダクト３２の収容溝３２ｂにパッキン１の基部１１を配置すると共に、下ダクト３２の被係止部３２ｅにパッキン１の係止部１１ｅを差し込んで係止する。そして、図４に示すように、パッキン１の上から下ダクト３２にバッテリモジュール２１を載せる。
【００４９】
このとき、本実施形態では、図３及び図４に示すように、シールリップ部１２の途中には、第１屈曲部１３が設けられ、基部１１とシールリップ部１２との連続部には、第２屈曲部１４が設けられ、第１屈曲部１３と第２屈曲部１４とは、互いに反対方向へ屈曲しているので、シールリップ部１２が二点で屈曲する。
つまり、図６に示すように、シールリップ部１２の第２延出部１２ｂは、第１屈曲部１３を中心に下ダクト３２へ向かって外側へ倒れるように屈曲し、第２延出部１２ｂは、第２屈曲部１４を中心に下ダクト３２へ向かって内側へ倒れるように屈曲する。
これにより、第１屈曲部１３の屈曲作用による延出端１２ｃの外側への移動を、第２屈曲部１４の屈曲作用によって抑制（相殺）できる。
換言すると、第１屈曲部１３が屈曲すると、延出端１２ｃが水平距離Ｌａ分だけ外側へ移動することになるが（図６の二点鎖線参照）、本実施形態では第２屈曲部１４が屈曲することで、第２延出部１２ｂが水平距離Ｌｂ分だけ内側へ移動し（図６の二点鎖線参照）、水平距離Ｌａ＝水平距離Ｌｂの関係になるので、延出端１２ｃの外側への移動を抑制できる。
さらに換言すると、第１延出部１２ａの内側への屈曲変形によって、第２延出部１２ｂが内側へ水平距離Ｌｂ分だけ引き寄せられるので、延出端１２ｃの外側への水平距離Ｌａ分の移動を相殺できる。そのため、延出端１２ｃの位置ずれを抑制して、所望のシール性能を発揮できる。
特に、本実施形態によれば、バッテリモジュール２１とダクト３のシール方向と、バッテリモジュール２１とバッテリフレーム２２の締結方向とが互いに直交し、締結力を利用してシール性能を確保できない場合であっても、延出端１２ｃの位置ずれを抑制可能なパッキン１を用いることで、所望のシール性能を十分に確保できる。
【００５０】
また、本実施形態によれば、シールリップ部１２が第１屈曲部１３と第２屈曲部１４の二点で屈曲することで、荷重に対し変形しやすい低反力を実現でき、相手部材であるバッテリモジュール２１との間に働く摩擦力の影響を受けにくくなる。これにより、下ダクト３２に対するバッテリモジュール２１のセット高さＨ（図４参照）が変化した場合であっても、シールリップ部１２が確実に屈曲して良好なシール性を確保できる。つまり、本実施形態は、セット高さＨのばらつきに対応できる点においても技術的意義を有している。
【００５１】
また、本実施形態によれば、基部１１は、シールリップ部１２の延出端１２ｃとシール方向で一致する位置に、ダクト３に圧接する基部側シール部１１ｂを有するので、基部１１とダクト３との間、及び、シールリップ部１２とバッテリモジュール２１との間をそれぞれ確実にシールできる。
さらに、かかる構成によれば、シールリップ部１２の延出端１２ｃと基部側シール部１１ｂとに作用する面圧を均一にできる。
【００５２】
また、本実施形態によれば、シールリップ部１２の延出端１２ｃと基部側シール部１１ｂは、同等又は略同等の曲率の曲面形状を呈しているので、延出端１２ｃと基部側シール部１１ｂが平面形状を呈する場合に比べ、ダクト３やバッテリモジュール２１との接触面積を減らすことができる。したがって、面圧の分散を抑制できるので、シール性を高めることができる。
【００５３】
また、本実施形態によれば、第２延出部１２ｂは、中央側がダクト３側へ突出するように湾曲形成されているので、シールリップ部１２の延出端１２ｃをバッテリモジュール２１に確実に接触させることができる。
さらに、かかる構成によれば、第２延出部１２ｂが直線形状の場合に比べ、バッテリモジュール２１との接触面積を減らすことができる。したがって、面圧の分散を抑制できるので、シール性を高めることができる。
【００５４】
また、本実施形態によれば、基部１１は、ダクト３の被係止部３２ｅに係止可能な係止部１１ｅを有するので、ダクト３に対するパッキン１の脱落を防止することができると共に、パッキン１の位置決めを容易に行える。
【００５５】
また、本実施形態によれば、基部１１は、シール方向の交差方向に沿って延設された延設部１１ａと、シールリップ部１２との連続部から延設部１１ａと反対方向へ向かって延設されたストッパ部１１ｄとを有するので、基部１１の重心位置が安定し、ダクト３にパッキン１を安定して配置することができる。
さらに、ストッパ部１１ｄは、収容溝３２ｂを形成する外壁３２ｄの上面に当接して係止されているので、パッキン１の外側への倒れを防止することができる。
【００５６】
以上、本発明の実施形態について図面を参照して詳細に説明したが、本発明はこれに限定されるものではなく、発明の主旨を逸脱しない範囲で適宜変更可能である。
【００５７】
例えば、図７（ａ），（ｂ）に示すように、リップ側シール部１２ｄをさらに備える構成としてもよい。リップ側シール部１２ｄは、第１屈曲部１３と延出端１２ｃとの間に設けられバッテリモジュール２１に圧接する部位であり、曲面形状を呈している。リップ側シール部１２ｄは、第２延出部１２ｂの内側の側面から上方へ延出している。リップ側シール部１２ｄは、第１屈曲部１３寄りの位置に設けられている。かかる構成によれば、延出端１２ｃとリップ側シール部１２ｄとの２箇所でシールでき、バッテリモジュール２１との間のシール性を高めることができる。ちなみに、図７（ｂ）に示すように、バッテリモジュール２１が、平面部２１ｆと円弧形状を呈するＲ角部２１ｇとを備え、Ｒ角部２１ｇに延出端１２ｃが当接する構成では、組付時に延出端１２ｃがＲ角部２１ｇに沿って滑る場合がある。かかる場合においても、本変形例では、リップ側シール部１２ｄが平面部２１ｆに圧接するので、リップ側シール部１２ｄで補助的にシールを行え、延出端１２ｃとリップ側シール部１２ｄとでシール性を確実に保持できる。
【００５８】
本発明のパッキン１は、少なくとも２点で屈曲するシールリップ部１２を備えることが必須であるが、これを満足する限り基部１１の断面形状は適宜変更してよい。
【００５９】
例えば、図８に示す断面形状にしてもよい。本変形例では、パッキン１の基部１１を下ダクト３２に取り付ける場合を例にとって説明する。本変形例に係るパッキン１の基部１１は、水平方向に沿って延設された延設部１１ａと、延設部１１ａの外側の端部から外側へ延出したストッパ部１１ｄと、延設部１１ａの下端の内寄り部位に凹設された係止部１１ｅとで構成されている。延設部１１ａは、下ダクト３２の上面に当接している。延設部１１ａの上端の外側部位には、シールリップ部１２が連続して形成されている。ストッパ部１１ｄは、基部１１とシールリップ部１２との連続部から延設部１１ａと反対方向へ向かって延設されている。ストッパ部１１ｄは、下ダクト３２の上面に当接して係止されている。係止部１１ｅ内には、下ダクト３２の上面から立設された被係止部３２ｅが差し込まれている。
【００６０】
また、例えば、図９に示す断面形状にしてもよい。本変形例に係るパッキン１の基部１１は、下ダクト３２の内縁部を上下から挟持して取り付けられている。基部１１は、水平方向に沿って延設された延設部１１ａと、延設部１１ａの内側の端部から垂設された垂直壁部１１ｆと、垂直壁部１１ｆの下端から外側へ延出した略Ｌ字状の係止部１１ｅとで構成されている。延設部１１ａは、下ダクト３２の上面に当接している。延設部１１ａの上端の外側部位には、シールリップ部１２が連続して形成されている。垂直壁部１１ｆは、下ダクト３２の内側の側面に当接している。係止部１１ｅの先端の突状部は、下ダクト３２の下面に凹設された被係止部３２ｅに差し込まれて係止されている。
【００６１】
本実施形態では、本発明のパッキン１を、バッテリモジュール２１とダクト３との間に配置した場合について説明したが、本発明はこれに限定されるものではなく、エアや水等の流体の漏れ止めが必要な箇所に適用可能である。
【００６２】
例えば、図１０及び図１１に示すように、ファン４とダクト５との間にパッキン１を配置してもよい。なお、説明においては、実施形態と相違する点について詳しく説明し、実施形態と同一の要素については、実施形態と同一の符号を付し、重複する説明を省略する。
参照する図面において、図１０（ａ）は、第４変形例に係るパッキン１が適用されたファン４とダクト５のシール構造の分解斜視図であり、（ｂ）は、（ａ）のＡ部の拡大図である。図１１は、パッキン１、ファン４、ダクト５を組み付けた状態を示す図１０（ａ）のＩＩ−ＩＩ線断面相当図である。なお、図１１の二点鎖線は、ダクト５を組み付ける前のパッキン１の状態を示している。
【００６３】
＜ファン＞
図１０（ａ）に示すように、ファン４は、ダクト５側に開口した略円筒状のファン本体４１と、ファン本体４１の外周の一部から径方向外側へ突出した排出部４２とを備える。ファン本体４１のダクト５側の端部には、冷却風を導入するための平面視で円形状の導入口４１ａが形成されている。導入口４１ａの外周側には、平面視で円環状の収容溝４１ｂが形成されている。収容溝４１ｂを形成する外周壁４１ｃには、３つの被係止部４１ｄが周方向に沿って等角度離間して設けられている。被係止部４１ｄは、外周壁４１ｃの一部をダクト５から離間する方向に所定長だけ切り欠いて形成され、他の部位よりも一段低い段部となっている。被係止部４１ｄは、図１０（ｂ）に示すように、周方向に沿って配列された複数の突部４１ｅを有している。図１０（ａ）に示すように、排出部４２の突端には、冷却風を排出するための矩形状の排出口４２ａが形成されている。本変形例のファン４は、特許請求の範囲の「一方の部材」を構成している。
【００６４】
＜ダクト＞
ダクト５は、図１０（ａ）に示すように、ファン４の導入口４１ａに冷却風を供給するためのダクトである。ダクト５は、略板状の部材であり、ファン４の導入口４１ａを覆うように設けられている。本変形例のダクト５は、特許請求の範囲の「他方の部材」を構成している。
【００６５】
＜パッキン＞
パッキン１は、ファン４の導入口４１ａとダクト５との間をシールする平面視で円環状の部材である。なお、パッキン１の平面視形状は、シール対象箇所の形状に従って適宜変更してよい。基部１１は、図１１に示すように、ファン４の収容溝４１ｂに収容されている。シールリップ部１２は、立上部１１ｃの一端からダクト５へ向かって延出し、ダクト５に圧接している。係止部１１ｅは、図１０（ａ）に示すように、ファン４の被係止部４１ｄに上下で対応する位置に設けられている。係止部１１ｅは、図１０（ｂ）に示すように、基部１１の外周面から径方向外側へ突出して形成された部位であり、ファン４側が開口した断面視略Ｃ字状を呈している。係止部１１ｅは、上下に貫通した複数の孔部１１ｇを有している。本変形例では、被係止部４１ｄに係止部１１ｅを被せ、孔部１１ｇ内に突部４１ｅを差し込むことで、パッキン１がファン４に取り付けられる。
【符号の説明】
【００６６】
１      パッキン
１１    基部
１１ａ  延設部
１１ｂ  基部側シール部
１１ｄ  ストッパ部
１１ｅ  係止部
１２    シールリップ部
１２ａ  第１延出部
１２ｂ  第２延出部
１２ｃ  延出端
１２ｄ  リップ側シール部
１３    第１屈曲部
１４    第２屈曲部
２      バッテリパック
２１    バッテリモジュール（他方の部材）
２１ｄ  隙間
２２    バッテリフレーム
３      ダクト（一方の部材）
３１    上ダクト
３１ｂ  収容溝
３２    下ダクト
３２ｂ  収容溝
３２ｅ  被係止部
４      ファン（一方の部材）
４１ｂ  収容溝
４１ｄ  被係止部
５      ダクト（他方の部材）
【図１】
0005988954.tif 000002
【図２】
0005988954.tif 000003
【図３】
0005988954.tif 000004
【図４】
0005988954.tif 000005
【図５】
0005988954.tif 000006
【図６】
0005988954.tif 000007
【図７】
0005988954.tif 000008
【図８】
0005988954.tif 000009
【図９】
0005988954.tif 000010
【図１０】
0005988954.tif 000011
【図１１】
0005988954.tif 000012